(57)【特許請求の範囲】
【請求項１】
上部を開口させた口部を有し、その内側を内容物の充填空間とする主容器と、該主容器の口部に着脱可能に取り付けられ、該内容物を外界へ向けて噴出させる噴出器と、該主容器の胴部に設けられた注入孔を通して該主容器の充填空間に補助液を注入する補助容器とを備え、
前記補助容器は、前記補助液の送給経路を有しその先端部を該注入孔に差し込んで位置決め保持されるノズルと、該ノズルを回動可能に連結するとともに該補助容器の口部に着脱可能に取り付けられるキャップとを有し、
前記キャップに、前記補助容器を回動させた、傾動、反転姿勢でもってのみ前記送給経路を開通させて前記補助液を前記主容器の充填空間へ流出させる貫通孔を設けたことを特徴とする液体噴出容器。
【請求項２】
前記キャップに、半球凹状の天面壁を設け、前記ノズルに、該天面壁と当接して摺動する球状の基部を形成し、前記貫通孔を該天面壁に設けるとともに、該基部に前記貫通孔と合わさって前記送給経路を開通させる貫穿孔を設けた請求項１記載の液体噴出容器。
【請求項３】
前記注入孔に、前記ノズルの外壁と当接して前記主容器の充填空間を液密にしてなるシール部材を設けた請求項１又は２記載の液体噴出容器。
【請求項４】
前記ノズルの外壁に、前記注入孔又は前記シール部材と連係して、該ノズルの該注入孔からの抜け出しを阻止する凸部を設けた請求項１〜３の何れかに記載の液体噴出容器。
【請求項５】
前記主容器に、前記補助容器を垂直姿勢のまま載置させる水平凹所を設けた請求項１〜４の何れかに記載の液体噴出容器。
【発明の詳細な説明】
【技術分野】
【０００１】
本発明は、２つの液体を使用直前に主容器で混合させたうえ、主容器の口部に取り付けた噴出器を作動させて、混合した内容物を外界へ噴出する液体噴出容器に関するものであり、補助容器に充填された補助液を主容器に注入して移し替えるにあたり、その移し替え作業が容易に行えるだけでなく、所期する量を確実に移し替えることができるものである。
【背景技術】
【０００２】
容器内の内容物を、この容器に取り付けた噴出器の駆動によって噴出させる液体噴出容器としては、例えば内容物として、毛染め剤など２種類の薬剤を使用直前に混合する必要があるものや、予め濃縮した洗剤等を水等で薄めてから使用するものが用いられることがあり、このような場合に対応するものとしては、例えば特許文献１に記載のように、主容器のポンプに対して着脱可能な補助容器を設け、この補助容器に充填した内容物を主容器に移し替えることで、予め、又はその後に主容器に注入される液体と混合させることができるものが知られている。
【先行技術文献】
【特許文献】
【０００３】
【特許文献１】実開平７−３３８６６号公報
【発明の概要】
【発明が解決しようとする課題】
【０００４】
ところで上記の液体噴出容器は、補助容器内の内容物を主容器に注入するにあたり、補助容器を主容器のポンプから取り外した後、さらにポンプを主容器から取り外す面倒な操作が必要であり、より簡単な操作で内容物を移し替えできることが求められていた。更に補助容器からの移し替えは、双方の容器の口部を位置合わせする必要があり、また移し替えの最中に補助容器内の内容物が主容器の口部からこぼれてしまう懸念もあって、未だ改善の余地が残されていた。
【０００５】
本発明の課題は、２つの液体を主容器内で混合させて外界へ噴出する液体噴出容器に関し、補助容器に充填された補助液の主容器への移し替え作業を容易とするだけでなく、補助液をこぼすことなく確実に主容器に移し替えることができる新規な液体噴出容器を提案するところにある。
【課題を解決するための手段】
【０００６】
本発明は、上部を開口させた口部を有し、その内側を内容物の充填空間とする主容器と、該主容器の口部に着脱可能に取り付けられ、該内容物を外界へ向けて噴出させる噴出器と、該主容器の胴部に設けられた注入孔を通して該主容器の充填空間に補助液を注入する補助容器とを備え、
前記補助容器は、前記補助液の送給経路を有しその先端部を該注入孔に差し込んで位置決め保持されるノズルと、該ノズルを回動可能に連結するとともに該補助容器の口部に着脱可能に取り付けられるキャップとを有し、
前記キャップに、前記補助容器を回動させた、傾動、反転姿勢でもってのみ前記送給経路を開通させて前記補助液を前記主容器の充填空間へ流出させる貫通孔を設けたことを特徴とする液体噴出容器である。
【０００７】
前記キャップに、半球凹状の天面壁を設け、前記ノズルに、該天面壁と当接して摺動する球状の基部を形成し、前記貫通孔を該天面壁に設けるとともに、該基部に前記貫通孔と合わさって前記送給経路を開通させる貫穿孔を設けることが望ましい。
【０００８】
前記注入孔に、前記ノズルの外壁と当接して前記主容器の充填空間を液密にしてなるシール部材を設けることが望ましい。
【０００９】
前記ノズルの外壁に、前記注入孔又は前記シール部材と連係して、該ノズルの該注入孔からの抜け出しを阻止する凸部を設けることが望ましい。
【００１０】
前記主容器に、前記補助容器を垂直姿勢のまま載置させる水平凹所を設けることが望ましい。
【発明の効果】
【００１１】
主容器の胴部に、主容器の充填空間につながる注入孔を形成し、この注入孔を通して主容器の充填空間に補助液を注入する補助容器を設け、補助容器を、補助液の送給経路を有しその先端部を注入孔に差し込んで位置決め保持されるノズルと、ノズルを回動可能に連結するとともに補助容器の口部に着脱可能に取り付けられるキャップと、によって構成し、このキャップに、補助容器を回動させた、傾動、反転姿勢でもってのみ送給経路を開通させて補助液を主容器の充填空間へ流出させる貫通孔を形成したので、補助液の主容器への移し替え作業が容易となり、さらに補助液をこぼすことなく確実に主容器に移し替えることができる。加えて、補助液を移し替える際に、外気に触れる機会が少なくてすむので、品質の維持にも有効に作用する。
【００１２】
キャップに、半球凹状の天面壁を設け、ノズルに、天面壁と当接して摺動する球状の基部を形成し、前記貫通孔を該天面壁に設けるとともに、該基部に前記貫通孔と合わさって前記送給経路を開通させる貫穿孔を設ける場合は、キャップの天面壁とノズルの基部との間はシールされた状態となっているので、補助容器を傾動させていく途中での補助液の漏れ出しを効果的に抑制することができる。
【００１３】
注入孔に、ノズルの外壁と当接して主容器の充填空間を液密にしてなるシール部材を設ける場合は、主容器内の内容物が、注入孔とノズルとの隙間を通して外部に漏れ出すことを有効に防止することができる。
【００１４】
ノズルの外壁に、注入孔又はシール部材と連係して、ノズルの注入孔からの抜け出しを阻止する凸部を設ける場合は、補助容器を回動する際や内容物を噴出する時に、ノズルが注入孔から不用意に抜け出してしまうことがない。
【００１５】
主容器に、補助容器を垂直姿勢のまま載置させる水平凹所を設ける場合は、補助容器のノズルを主容器に差し込んだまま、安定して保持することができる。
【図面の簡単な説明】
【００１６】
【図１】本発明に従う液体噴出容器の実施の形態を示す断面図である。
【図２】本発明に従う補助容器の平面図である。
【図３】図１に示す状態から、補助容器を図１に示す矢印の向きに回動させて、傾動、反転姿勢にした状態を示す、ノズル周辺の拡大断面図である。
【図４】本発明に従う液体噴出容器の他の実施の形態を示す図であり、（ａ）は、ノズルの挿入途中の状態であって、スリットが閉じている状態を示す断面図であり、（ｂ）は、ノズルの挿入完了状態であって、スリットが開いている状態を示す断面図である。
【発明を実施するための形態】
【００１７】
以下、図面を参照して、本発明をより具体的に説明する。
図１は、本発明に従う液体噴出容器の実施の形態を示す断面図であり、図２は、本発明に従う補助容器の平面図であり、図３は、図１に示す状態から、補助容器を図１に示す矢印の向きに回動させて、傾動、反転姿勢にした状態を示す、ノズル周辺の拡大断面図であり、図４は、本発明に従う液体噴出容器の他の実施の形態を示す図であり、（ａ）は、ノズルの挿入途中の状態であって、スリットが閉じている状態を示す断面図であり、（ｂ）は、ノズルの挿入完了状態であって、スリットが開いている状態を示す断面図である。
【００１８】
図１において、１は主容器であり、２は主容器１の口部に取り付けられる噴出器である。主容器１の内側は、内容物を充填する充填空間Ｍとなっていて、主容器１の胴部には、注入孔１ａが設けられている。ここで内容物とは、主容器１に直接注入される主液と、後述する補助容器に充填された補助液とを混合させたものをいう。また図示の例で注入孔１ａは、主容器１の胴部より外側横向きに突設させた筒部１ｂによって形成されており、筒部１ｂの外壁には、係合部ｎ１が設けられている。
【００１９】
また噴出器２は、図示の例ではトリガー式の噴出器であって、主容器１に着脱可能に噴出器２を固定するベースキャップ２ａと、牽曳を繰り返して、噴出器２に組み込まれた図示しないポンプを駆動させる操作レバー２ｂと、ポンプの駆動によって、吸引管２ｃ１を通して吸引、加圧、圧送された充填空間Ｍの内容物を外界に噴出させる噴射ノズル２ｃとを備えている。なおここでは、噴出器２をトリガー式の噴出器で示したが、例えばノズルヘッドの押し込みと復帰動作の繰り返しによってポンプを駆動させて、ノズルヘッドに設けた注出口から内容物を注出させるポンプ式注出器であってもよく、用途に応じて適宜選択することができる。
【００２０】
図１において、３は補助容器である。補助容器３は、胴体部３ａと、キャップ３ｂと、ノズル３ｃとを備えている。
【００２１】
胴体部３ａは、上部を開口させた口部３ａ１を有し、その内側に補助液を充填する充填空間ｍが設けられている。また口部３ａ１の外壁には係合部ｎ２が形成されている。
【００２２】
キャップ３ｂは、半球凹状の天面壁３ｂ１を有しており、天面壁３ｂ１から垂下して同心二重配置となる外周壁３ｂ２と内周壁３ｂ３とを備えていて、外周壁３ｂ２と内周壁３ｂ３との相互間に形成される環状空間に口部３ａ１を収めている。外周壁３ｂ２には、係合部ｎ２に適合する被係合部ｎ２´が設けられていて、キャップ３ｂを着脱自在に保持させることができる。なお、図示した例で係合部ｎ２、及び被係合部ｎ２´はねじ状のものであるが、アンダーカット状にしてもよい。また天面壁３ｂ１には、胴体部３ａに充填された補助液の出口となる貫通孔３ｂ４が形成されている。さらに天面壁３ｂ１の上部両側には、図２に示すように一対の側壁３ｂ５が設けられていて、この一対の側壁３ｂ５には、図１に示すように上部を開口させた一対の軸受け部３ｂ６が形成されている。
【００２３】
ノズル３ｃは、円筒状の軸部３ｃ１と、軸部３ｃ１をキャップ３ｂに連結させる基部３ｃ２と、軸部３ｃ１の内側に設けられ補助液を送給する送給経路３ｃ３とを備えている。軸部３ｃ１の外側先端部には、図示の例では半円状に突設する凸部３ｃ４が形成されている。また基部３ｃ２の下部は、キャップ３ｂの天面壁３ｂ１と適合する球状となっており、その側部は、図２に示すように、一対の側壁３ｂ５の内側に収まる幅で形成されていて、さらに基部３ｃ２の側壁には一対の軸受け部３ｂ６に適合する一対の軸部３ｃ５が設けられている。これによりノズル３ｃは、基部３ｃ２の下部を天面壁３ｂ１との間で摺動可能に当接させたまま、キャップ３ｂを回動させることができる。ここで基部３ｃ２には、送給経路３ｃ３につながる貫穿孔３ｃ６が設けられていて、ノズル３ｃに対してキャップ３ｂを取り付けた胴体部３ａを回動させていくと、貫通孔３ｂ４と貫穿孔３ｃ６とが合わさって、充填空間ｍと送給経路３ｃ３とを連通させることができる。
【００２４】
そして、図１に示す４は、注入孔１ａに差し込まれるノズル３ｃを保持する保持部材である。保持部材４は、中央部に開口４ａを有する壁部４ｂの内縁、及び外縁から、外壁４ｃと内壁４ｄとを延設させていて、ノズル３ｃを開口４ａを通して挿入させると内壁４ｄによって保持することができる。また保持部材４は、外壁４ｃと内壁４ｄとの相互間に形成される環状凹部に筒部１ｂを収めることができ、外壁４ｃの内面には、係合部ｎ１に適合する被係合部ｎ１´が設けられていて、主容器１に対してノズル３ｃを着脱自在に保持することができる。なお図示の例で、係合部ｎ１、及び被係合部ｎ１´は、ねじ状のものであるが、アンダーカット状にしてもよい。また、ノズル３ｃを主容器１から取り外すにあたっては、ノズル３ｃと内壁４ｄとの相互間に僅かに隙間をもたせたり、内壁４ｄが外側に可撓するようにしたりすることで、保持部材４を主容器１から取り外すことなく、ノズル３ｃを引き抜くこともできる。
【００２５】
また図１に示す５は、シール部材である。シール部材５は、基部となる筒体５ａの一端にフランジ部５ｂを連設させるとともに、他端に軸部３ｃ１の外壁に弾性的に接触する環状の封止部５ｃを備えていて、内側にノズル３ｃを差し込んだ状態で、筒部１ｂと保持部材４との相互間に保持される。この時、筒体５ａと筒部１ｂ、またフランジ部５ｂと筒部１ｂの開口先端、さらに封止部５ｃとノズル３ｃの外壁、のそれぞれが互いに密着した状態となるので、主容器１の充填空間Ｍを液密状態にすることができる。
【００２６】
上記のような構成になる液体噴出容器において、胴体部３ａに充填した補助液を主容器１に移し替えるにあたっては、胴体部３ａを矢印の向きに回動させる。この時ノズル３ｃの先端は、保持部材４によって位置決め保持されているので、回動によって双方の位置がずれてしまうことがない。またノズル３ｃを引き抜く方向に力が加わっても、ノズル３ｃの凸部３ｃ４が、シール部材５の封止部５ｃ、或いは保持部材４の内壁４ｄに引っかかるので、移し替え作業中にノズル３ｃが主容器１から抜け出すことを有効に防止することができる。
【００２７】
そして補助容器３の回動を続け、図３に示すように補助容器３が傾動、反転姿勢となって貫通孔３ｂ４と貫穿孔３ｃ６が合わさると、補助容器３に充填した補助液を主容器１の充填空間Ｍに注入させることができる。この時、胴体部３ａとキャップ３ｂとの相互間には、図示しない空気置換経路が設けられているので、所期した量を充填空間Ｍに注入させることができる。なお補助容器３を、変形、復元可能な、いわゆるスクイズ容器として構成し、この容器の押し潰しによって補助液を注入させるようにしても良い。
【００２８】
所期した量の補助液を注入した後は、主容器１の口部から主液を注入して、補助液と混合させて所期した内容物とする。そして噴出器２を取り付けた後は、通常の液体噴出容器として使用することができる。
【００２９】
ここで、図１に示すように主容器１に、水平凹所１ｃを設ける場合には、胴体部３ａを垂直姿勢のまま載置させることができるので、使用時においても安定して補助容器３を保持することができるうえ、補助容器３が主容器１から大きくはみ出してしまうことがない。
【００３０】
また、主容器１及び胴体部３ａの少なくとも一方を透明、又は半透明にした場合には、補助液を胴体部３ａから主容器１に移し替える際や、主液を直接主容器１に注入する際に、量を目視で確認しながら注入することができるので、所期したとおりの内容物を作ることができる。また、主容器１及び胴体部３ａの少なくとも一方に、目盛１ｄ、３ａ２を設ける（図１は、主容器１及び補助容器３にそれぞれ１つずつ設けた場合を例示しているが、所期する量に合わせてそれぞれ複数設けてもよい）場合には、目盛に合わせて注入させることでより正確な量で混合させることができる。なお、主容器１及び胴体部３ａは、その一部が透明、又は半透明であっても良く、例えば目盛を設けた周囲のみを透明、又は半透明にしてもよい。
【００３１】
そして図４（ａ）、（ｂ）に示すように、シール部材５の封止部５ｃに一体連結するとともに、ノズル３ｃの軸部３ｃ１の先端開口を取り囲む弾性状の有底筒体５ｄを設け、この有底筒体５ｄの底部に、スリット５ｅを設けてもよい。図示の例では、筒体５ａと有底筒体５ｄが同一径で形成されている場合を示している。ここで図４（ａ）に示すように、ノズル３ｃの先端が有底筒体５ｄの奥まで届いていない挿入途中の状態では、スリット５ｅは閉じたままになっているが、図４（ｂ）に示すように、ノズル３ｃを所期する位置まで挿入した挿入完了の状態では、スリット５ｅを開口させて補助液を充填空間Ｍ内に注入することができる。これにより、ノズル３ｃをシール部材５から引き抜いて主容器１から補助容器３を取り外しても、スリット５ｅは閉じたままになっているので、主容器１内の内容物が漏れ出すことがない。なお、補助容器３をスクイズ容器とした場合には、図４（ｂ）に示すノズル３ｃの挿入完了の状態でもスリット５ｅを閉じたままとし、補助容器３の押し潰しに伴う補助液の圧力増加によってスリット５ｅを開口させるようにしても、補助容器３の取り外しによる主容器１の内容物の漏れ出しを防止することができる。
【産業上の利用可能性】
【００３２】
本発明によれば、補助容器に充填された補助液の主容器への移し替え作業を容易とするだけでなく、補助液をこぼすことなく確実に主容器に移し替えることができる新規な液体噴出容器を提供できる。
【符号の説明】
【００３３】
１    主容器
１ａ  注入孔
１ｂ  筒部
１ｃ  水平凹所
１ｄ  目盛
２    噴出器
２ａ  ベースキャップ
２ｂ  操作レバー
２ｃ  噴射ノズル
３    補助容器
３ａ  胴体部
３ｂ  キャップ
３ｂ１  天面壁
３ｂ４  貫通孔
３ｃ  ノズル
３ｃ２  基部
３ｃ３  送給経路
３ｃ４  凸部
３ｃ６  貫穿孔
４    保持部材
４ａ  開口
４ｂ  壁部
４ｃ  外壁
４ｄ  内壁
５    シール部材
５ａ  筒体
５ｂ  フランジ部
５ｃ  封止部
Ｍ    充填空間
ｍ    充填空間
【図１】
0005467990.tif 000002
【図２】
0005467990.tif 000003
【図３】
0005467990.tif 000004
【図４】
0005467990.tif 000005